(57)【要約】【課題】入浴者の異常を確実に検出することが可能な警報システム、及び当該警報システムを備える給湯システムを提供する。【解決手段】給湯システム３５は、警報を発する警報手段を有し、給湯装置を遠隔操作するための台所リモコン４８及び浴室リモコン４９と、浴室の天井に設置された浴室乾燥機６０が備える人検出センサ６３の信号に基づいて、浴室の浴槽３０内にいる入浴者の異常を検出する異常検出部３６１と、を備え、入浴者の異常が検出された場合に、台所リモコン４８及び浴室リモコン４９の警報手段により警報を発する。【選択図】図１
2018159488.tif 000002
【特許請求の範囲】
【請求項１】
警報を発する警報手段を有し、給湯装置を遠隔操作するための少なくとも一つのリモコン装置と、
浴室の天井に設置された浴室機器が備える人検出センサの信号に基づいて、前記浴室の浴槽内にいる入浴者の異常を検出する異常検出手段と、
を備え、
前記入浴者の異常が検出された場合に、前記リモコン装置の前記警報手段により警報を発する、
警報システム。
【請求項２】
外部通信端末と通信可能な通信手段を備え、
前記入浴者の異常が検出された場合に、前記外部通信端末に対して前記通信手段により警報を送信する請求項１に記載の警報システム。
【請求項３】
前記浴槽に貯留された浴水を前記浴槽の外部へ排出する排水装置と、
前記入浴者の異常が検出された場合に、前記浴槽内の水位が低下するように前記排水装置を作動させる手段と、
を備える請求項１または請求項２に記載の警報システム。
【請求項４】
外部通信端末と通信可能な通信手段を備え、
前記リモコン装置は、前記浴室に設置された浴室リモコンを含み、
前記浴室リモコンは、前記浴槽内を撮影範囲に含むカメラを備え、
前記入浴者の異常が検出された場合に、前記カメラにより撮影された画像のデータを前記外部通信端末に対して前記通信手段により送信する請求項１から請求項３のいずれか一項に記載の警報システム。
【請求項５】
前記リモコン装置は、前記浴室に設置された浴室リモコンと、前記浴室以外の場所に設置された第二リモコンとを含み、
前記浴室リモコン及び前記第二リモコンのそれぞれは、前記警報を解除するユーザー操作である警報解除操作を受け付ける手段を備え、
前記浴室リモコンに対して前記警報解除操作が行われた場合には、前記浴室リモコン及び前記第二リモコンの両方の警報を停止し、
前記第二リモコンに対して前記警報解除操作が行われ、かつ前記浴室リモコンに対して前記警報解除操作が行われていない場合には、前記第二リモコンの警報を停止し、前記浴室リモコンの警報を停止しない請求項１から請求項４のいずれか一項に記載の警報システム。
【請求項６】
前記浴槽の排水栓が開いているかどうかを検出する手段を備え、
前記浴槽の排水栓が開いているときには、前記入浴者の異常を検出する機能を無効にする請求項１から請求項５のいずれか一項に記載の警報システム。
【請求項７】
前記入浴者の異常を検出する機能を無効にすることを設定可能である請求項１から請求項６のいずれか一項に記載の警報システム。
【請求項８】
通話可能な外部通信端末と通信可能な通信手段を備え、
前記リモコン装置は、前記浴室に設置された浴室リモコンを含み、
前記浴室リモコンは、マイク及びスピーカを備え、
前記入浴者の異常が検出された場合に、前記通信手段により、前記浴室リモコンと前記外部通信端末との間で通話可能である請求項１から請求項７のいずれか一項に記載の警報システム。
【請求項９】
前記リモコン装置は、前記浴室に設置された浴室リモコンを含み、
前記浴室リモコンは、第二人検出センサを備え、
前記異常検出手段は、前記浴室機器の前記人検出センサの信号が利用できない場合に、前記第二人検出センサの信号に基づいて、前記入浴者の異常を検出する請求項１から請求項８のいずれか一項に記載の警報システム。
【請求項１０】
前記給湯装置と、
請求項１から請求項９のいずれか一項に記載の警報システムと、
を備える給湯システム。
【発明の詳細な説明】
【技術分野】
【０００１】
本発明は、警報システム及び給湯システムに関する。
【背景技術】
【０００２】
浴槽内の入浴者の異常を検出し、台所リモコン等へ警報を発するシステムが提案されている。下記特許文献１に開示された給湯機では、浴室リモコンに設けられた人感センサにより、浴槽内の入浴者の異常を検出する。
【先行技術文献】
【特許文献】
【０００３】
【特許文献１】特開２０１５−２００４２１号公報
【発明の概要】
【発明が解決しようとする課題】
【０００４】
人感センサの視野角には限りがある。このため、浴室リモコンに設けられた人感センサでは、浴槽内にいる入浴者の異常を検出できない可能性がある。例えば、浴槽の長手方向に沿う壁に浴室リモコンが取り付けられていると、浴槽内の一部が人感センサの視野角の外になり得る。浴槽内で異常に陥った入浴者が、人感センサの視野角の外にいると、入浴者の異常を検出できない。また、浴室リモコンの取り付け位置によっては、浴槽の側壁に阻まれることで人感センサの死角が発生し、浴槽の中で倒れている入浴者を検出できない可能性がある。
【０００５】
本発明は、上述のような課題を解決するためになされたもので、入浴者の異常を確実に検出することが可能な警報システム、及び当該警報システムを備える給湯システムを提供することを目的とする。
【課題を解決するための手段】
【０００６】
本発明に係る警報システムは、警報を発する警報手段を有し、給湯装置を遠隔操作するための少なくとも一つのリモコン装置と、浴室の天井に設置された浴室機器が備える人検出センサの信号に基づいて、浴室の浴槽内にいる入浴者の異常を検出する異常検出手段と、を備え、入浴者の異常が検出された場合に、リモコン装置の警報手段により警報を発するものである。
本発明に係る給湯システムは、上記給湯装置と、上記警報システムと、を備えるものである。
【発明の効果】
【０００７】
本発明によれば、入浴者の異常を確実に検出することが可能となる。
【図面の簡単な説明】
【０００８】
【図１】実施の形態１による給湯システムを示す図である。
【図２】実施の形態１における処理を示すフローチャートである。
【発明を実施するための形態】
【０００９】
以下、図面を参照して実施の形態について説明する。各図において共通または対応する要素には、同一の符号を付して、重複する説明を簡略化または省略する。
【００１０】
実施の形態１．
図１は、実施の形態１による給湯システム３５を示す図である。本実施の形態では、給湯システム３５が警報システムを備える例について説明する。警報システムは、浴室の浴槽３０内にいる入浴者の異常を検出し、警報を発する。「入浴者の異常」とは、例えば、入浴者が溺水あるいは急性疾患などにより、意識レベルの低下した状態になることを含む。図１に示すように、本実施の形態の給湯システム３５は、タンクユニット３３と、ヒートポンプサイクルを利用するＨＰユニット７と、通信装置４４と、台所リモコン４８と、浴室リモコン４９とを備える。給湯装置を構成するＨＰユニット７及びタンクユニット３３の間は、ＨＰ往き配管１４とＨＰ戻り配管１５と図示しない電気配線とを介して接続されている。タンクユニット３３には、制御装置３６が内蔵されている。タンクユニット３３及びＨＰユニット７が備える各種弁類、ポンプ類等の作動は、これらと電気的に接続された制御装置３６により制御される。
【００１１】
台所リモコン４８及び浴室リモコン４９は、給湯装置を遠隔操作するためのリモコン装置の例である。台所リモコン４８及び浴室リモコン４９のそれぞれは、運転動作指令及び設定値の変更などに関するユーザーの操作を受け付ける機能を有する。台所リモコン４８は、キッチンまたはダイニングルームに設置されている。浴室リモコン４９は、浴槽３０のある浴室に設置されている。台所リモコン４８及び浴室リモコン４９のそれぞれは、制御装置３６に対して、有線または無線により、双方向にデータ通信可能である。台所リモコン４８及び浴室リモコン４９のそれぞれは、例えば液晶表示パネル、有機ＥＬ表示パネルなどの表示部、ユーザーが操作するスイッチ等の操作部、スピーカ、マイク等を備える。台所リモコン４８及び浴室リモコン４９のそれぞれは、給湯システム３５の状態等の情報を表示部によりユーザーに対して報知できる。台所リモコン４８及び浴室リモコン４９のそれぞれは、スピーカから発する音または音声により、情報をユーザーに対して報知してもよい。
【００１２】
台所リモコン４８及び浴室リモコン４９の少なくとも一方は、入浴者の異常が検出された場合に、スピーカから警報音及び警報音声の少なくとも一方（以下、総称して「警報音」と呼ぶ。）を発することができる。この場合、当該スピーカが警報手段に相当する。台所リモコン４８及び浴室リモコン４９の少なくとも一方は、入浴者の異常が検出された場合に、表示部により警報を発することができる。この場合、当該表示部が警報手段に相当する。表示部により警報を発する場合には、例えば、表示部を点滅させることでユーザーの注意を喚起したり、入浴者の異常が検出された旨の警報メッセージを表示部に表示したりしてもよい。表示部による警報を以下「警報表示」と呼ぶ。
【００１３】
本実施の形態において台所リモコン４８は、浴室以外の場所に設置される第二リモコンの例である。給湯システム３５は、台所リモコン４８に代えて、または台所リモコン４８に加えて、例えばリビングルームのような浴室以外の場所に設置される第二リモコンを備えてもよい。
【００１４】
以下の説明では、浴槽３０に貯留された湯水を「浴水」と称する。電動排水栓５０は、浴槽３０の底部に設置されている。電動排水栓５０が閉じているときには浴槽３０内に浴水を溜めることができる。電動排水栓５０が開くと、浴槽３０内の浴水が、電動排水栓５０を通って、例えば排水管（図示省略）へ排出される。電動排水栓５０を開くことで、浴槽３０内の浴水をすべて外部へ排出することができる。電動排水栓５０は、浴槽３０に貯留された浴水を浴槽３０の外部へ排出する排水装置の例である。電動排水栓５０は、例えば、電動機（図示省略）により駆動されることで開閉する。制御装置３６は、電動排水栓５０の動作を制御可能である。制御装置３６は、例えば、上記電動機からの信号に基づいて、電動排水栓５０が閉じているか開いているかを検出可能である。電動排水栓５０は、その開度を調整可能なものでもよい。例えば、ステッピングモータ（図示省略）により電動排水栓５０を駆動することで、電動排水栓５０の開度を容易に調整できる。制御装置３６が電動排水栓５０の動作を直接的に制御してもよいし、浴室またはその近くに設置された電動排水栓５０の制御ユニット（図示省略）を介して間接的に制御装置３６が電動排水栓５０の動作を制御してもよい。
【００１５】
台所リモコン４８は、電動排水栓５０を作動させるためのユーザー操作を受け付け可能でもよい。例えば、ユーザーが、電動排水栓５０を開くための指令と、電動排水栓５０を閉じるための指令とを、台所リモコン４８に対して入力可能でもよい。ユーザーは、台所リモコン４８を操作することで、電動排水栓５０を遠隔操作することができる。
【００１６】
ＨＰユニット７は、タンクユニット３３が備える貯湯タンク８から導かれた低温水を加熱するための加熱手段として機能する。ＨＰユニット７は、圧縮機１、水冷媒熱交換器３、膨張弁４、空気熱交換器６を冷媒配管５にて環状に接続し、ヒートポンプサイクルを構成している。水冷媒熱交換器３は、冷媒配管５を流れる冷媒とタンクユニット３３から導かれた低温水との間で熱交換を行うためのものである。
【００１７】
タンクユニット３３には、以下の各種部品及び配管などが内蔵されている。貯湯タンク８は、湯水を貯留するためのものである。貯湯タンク８の下部に設けられた水導入口８ａには、第三給水配管９ｃが接続されている。水道等の水源から供給される水は、減圧弁３１で所定圧力に調圧された上で、第三給水配管９ｃを通って貯湯タンク８内に流入する。貯湯タンク８の上部に設けられた温水導入出口８ｄには、貯湯タンク８内に貯留された湯を給湯システム３５の外部へ供給するための給湯配管２１と、送湯配管１３とが接続されている。なお、貯湯タンク８には、ＨＰユニット７を用いて加熱された高温湯が温水導入出口８ｄから流入するとともに、第三給水配管９ｃからの低温水が水導入口８ａから流入することにより、上下部で温度差が生じるように湯水が貯留される。また、貯湯タンク８の表面には、複数の貯湯温度センサ４２，４３が高さを変えて取り付けられている。これらの貯湯温度センサ４２，４３で貯湯タンク８内の湯水の温度分布を検出することにより、貯湯タンク８内の残湯量が把握され、ＨＰユニット７による貯湯タンク８内の湯水の沸上運転の開始、停止などが制御される。
【００１８】
タンクユニット３３内には、循環ポンプ１２及び風呂用熱交換器２０が内蔵されている。循環ポンプ１２は、タンクユニット３３内の後述する各種配管に湯水を循環させるためのポンプであり、ＨＰ往き配管１４上に設けられている。風呂用熱交換器２０は、貯湯タンク８やＨＰユニット７から供給される高温湯を利用して、２次側の加熱対象水（浴水または暖房用水など）を加熱するための熱交換器である。本実施の形態では、風呂用熱交換器２０の２次側の構成として、浴水を循環させる風呂往き配管２７と風呂戻り配管２８を例示し説明する。風呂用熱交換器２０は、風呂往き配管２７と風呂戻り配管２８の途中に設置されている。また、風呂往き配管２７と風呂戻り配管２８の途中には、浴水を循環させるための風呂循環ポンプ２９と、浴槽３０から出た浴水の温度を検出するための風呂戻り温度センサ３８と、風呂用熱交換器２０から出た熱交換後の浴水の温度を検出するための風呂往き温度センサ３７と、浴水の循環を判定する水流検知手段４６と、浴槽３０内の水位を検出する水位センサ４７とが設置されている。浴槽３０から風呂戻り配管２８と風呂往き配管２７は循環回路を形成しているため、これを風呂循環回路と称する。
【００１９】
三方弁１１は、湯水が流入するａポート及びｂポートと、湯水が流出するｃポートとを有する流路切替手段である。四方弁１８は、湯水が流入するｂポート及びｃポートと、湯水が流出するａポート及びｄポートとを有する流路切替手段であり、４つの経路、ａ−ｂ、ａ−ｃ、ｂ−ｄ、ｃ−ｄの間で流路切替可能に構成されている。また、タンクユニット３３は、水導出口管１０、温水導入管２０ａ、第一バイパス管１６、温水導出管２０ｂ、及び第二バイパス管１７を有している。水導出口管１０は、貯湯タンク８の下部に設けられた水導出口８ｂと三方弁１１のａポートとを接続する。ＨＰ往き配管１４は、三方弁１１のｃポートとＨＰユニット７の入口側とを接続する。ＨＰ戻り配管１５は、ＨＰユニット７の出口側と四方弁１８のｃポートとを接続する。送湯配管１３は、四方弁１８のｄポートと、貯湯タンク８上部の温水導入出口８ｄとを接続する。第一バイパス管１６は、四方弁１８のａポートと、貯湯タンク８の中央部から下部の間に設けられた温水導入口８ｃとを接続する。温水導入管２０ａは、送湯配管１３の途中から分岐し、風呂用熱交換器２０の１次側入口に接続される。温水導出管２０ｂは、風呂用熱交換器２０の１次側出口と三方弁１１のｂポートとを接続する。第二バイパス管１７は、ＨＰ往き配管１４における循環ポンプ１２とＨＰユニット７の入口側との間から分岐し、四方弁１８のｂポートに接続される。更に、タンクユニット３３は、第一給水配管９ａ、第二給水配管９ｂ、給湯用混合弁２２、風呂用混合弁２３、第一給湯配管２４、及び第二給湯配管２５を有している。第一給水配管９ａの一端は水道等の水源に接続され、第一給水配管９ａの他端には減圧弁３１を介して第二給水配管９ｂ及び第三給水配管９ｃが接続されている。第二給水配管９ｂは、途中から分岐してそれぞれ給湯用混合弁２２と風呂用混合弁２３とに接続されている。給湯配管２１は、途中から分岐してそれぞれ給湯用混合弁２２及び風呂用混合弁２３に接続されている。第二給湯配管２５の途中には、第二給湯配管２５を開閉する風呂用電磁弁２６と、第二給湯配管２５を通る湯の流量を検出する風呂用流量センサ４５とが設けられている。
【００２０】
給湯用混合弁２２及び風呂用混合弁２３は、給湯配管２１から供給される高温湯と、第二給水配管９ｂから供給される低温水との流量比を調整することにより、ユーザーが設定した設定温度の湯を生成し、第一給湯配管２４及び第二給湯配管２５にそれぞれ流入させる。給湯用混合弁２２で温度調整された湯は、第一給湯配管２４から給湯栓３４を経由して、ユーザーが使用するシャワーまたはカラン等の蛇口（図示省略）に供給される。風呂用混合弁２３で設定温度に調整された湯は、第二給湯配管２５から風呂用電磁弁２６、風呂用流量センサ４５、風呂往き配管２７、風呂戻り配管２８を経て浴槽３０に流入する。
【００２１】
湯張りは、例えば、浴室リモコン４９をユーザーが操作することで開始される。湯張りが開始された場合、設定された湯量を浴槽３０へ給湯する。設定量を給湯した後、浴槽３０の温度を一定に保つ風呂自動運転を続けて行うことができる。風呂自動運転は、定期的な間隔（例えば１０分）毎に、風呂循環ポンプ２９を運転させて、浴槽３０の湯を風呂循環回路に循環させる。このとき、風呂戻り温度センサ３８にて、浴槽温度を検出し、浴槽温度が設定温度より低下していれば、風呂用熱交換器２０にて浴水を加熱する追焚運転を開始し、設定温度まで浴槽温度が上昇すれば、追焚運転を停止する。風呂自動運転は、ユーザーが出浴時に手動で停止するか、設定された時間まで動作を継続する。
【００２２】
浴室の天井に浴室乾燥機６０が設置されている。浴室乾燥機６０は、浴室乾燥機制御部６１及び人検出センサ６３を備える。浴室乾燥機制御部６１は、浴室乾燥機６０の運転を制御する。浴室乾燥機制御部６１は、通信装置６２及び人検出センサ６３と接続されている。人検出センサ６３は、浴槽３０内にいる入浴者を検出する。人検出センサ６３は、例えば、焦電素子を有する人感センサでもよい。人検出センサ６３は、例えば、マイクロ波ドップラーレーダー、サーモグラフィー、超音波レーダーのうちの少なくとも一つを用いて入浴者の体動、拍動、及び呼吸のうちの少なくとも一つを検出する見守りセンサでもよい。人検出センサ６３の視野角の内側に、浴槽３０の内部空間の全体が包含される。人検出センサ６３が浴室の天井に位置することで、以下の効果が得られる。人検出センサ６３と浴槽３０との距離を十分に長くでき、人検出センサ６３による検出領域を広くできる。このため、人検出センサ６３の視野角が狭くても、人検出センサ６３の視野角の内側に浴槽３０の内部空間の全体を確実に包含させることが可能となる。また、浴槽３０の側壁などによって人検出センサ６３の死角が発生することもない。
【００２３】
本実施の形態において、浴室乾燥機６０は、浴室の天井に設置された浴室機器の例である。浴室の天井に設置された浴室機器は、浴室乾燥機６０に限定されない。浴室乾燥機６０に代えて、例えば、浴室の天井に設置された浴室暖房機、浴室換気扇、または浴室照明が、人検出センサ６３を備えてもよい。
【００２４】
制御装置３６は、通信装置４４及び通信装置６２を介して、浴室乾燥機制御部６１と通信可能である。通信装置４４と通信装置６２との通信は、無線通信でも有線通信でもよい。通信装置４４と通信装置６２とは、宅内のネットワークを介して通信可能でもよい。制御装置３６は、通信装置４４、通信装置６２、及び浴室乾燥機制御部６１を介して、人検出センサ６３の信号を受信可能である。制御装置３６は、人検出センサ６３の信号に基づいて、浴槽３０内にいる入浴者の異常を検出する異常検出部３６１を有する。異常検出部３６１は、人検出センサ６３の信号が、浴槽３０内に入浴者がおり、かつ、その入浴者の体動が一定時間継続して無いことを示す場合に、入浴者が異常であると判定してもよい。本実施の形態であれば、人検出センサ６３の視野角の内側に浴槽３０の内部空間の全体が包含されるので、入浴者が浴槽３０内のどこにいても、入浴者の異常を確実に検出できる。
【００２５】
上記の構成に代えて、浴室乾燥機制御部６１が、人検出センサ６３の信号に基づいて、浴槽３０内にいる入浴者の異常を検出する異常検出部を有してもよい。この場合、入浴者の異常が検出されると、制御装置３６は、その情報を通信装置４４及び通信装置６２を介して浴室乾燥機制御部６１から受信する。
【００２６】
通信装置４４は、例えばインターネットのような外部通信回線を介して、外部通信端末７０と通信可能である。外部通信端末７０は、例えば、スマートフォン、タブレット端末、パーソナルコンピュータ、携帯電話のいずれかでもよい。
【００２７】
本実施の形態において、浴室リモコン４９は、第二人検出センサ５１を備える。第二人検出センサ５１は、前述したような人感センサまたは見守りセンサでもよい。異常検出部３６１は、浴室乾燥機６０の人検出センサ６３の信号が利用できない場合に、第二人検出センサ５１の信号に基づいて、入浴者の異常を検出する。「人検出センサ６３の信号が利用できない場合」とは、例えば、人検出センサ６３が故障した場合である。浴室リモコン４９の取り付け位置によっては、浴槽３０の内部空間の一部が第二人検出センサ５１の視野角の外になる可能性があること、及び、浴槽３０の側壁等によって第二人検出センサ５１の死角が生じる可能性があることから、浴槽３０内での入浴者の位置によっては、第二人検出センサ５１が浴槽３０内の入浴者を検出できない可能性がある。このため、本実施の形態のシステムにおいて、第二人検出センサ５１は、人検出センサ６３の信号が利用できない場合のバックアップとして利用されるに過ぎない。
【００２８】
本実施の形態のシステムでは、入浴者の異常を検出する機能を無効にすることを設定可能である。例えば、浴室リモコン４９をユーザーが操作することで、入浴者の異常を検出する機能を無効にすることを事前に設定可能でもよい。入浴者の異常を検出する機能を利用したくないユーザーは、当該機能を予め無効に設定することで、不必要な警報がなされることを確実に防止できる。
【００２９】
前述したように、本実施の形態において、制御装置３６は、電動排水栓５０からの信号により、電動排水栓５０が開いているかどうかを検出できる。電動排水栓５０が開いている場合には、浴槽３０内に浴水が無いと考えられるので、浴槽３０内に入浴者はいないと考えられる。このため、入浴者の異常を検出する処理は不要である。そこで、本実施の形態において、制御装置３６は、電動排水栓５０が開いているときには、入浴者の異常を検出する機能を無効にする。これにより、不必要な検出処理を実行することを回避できる。
【００３０】
図２は、実施の形態１における処理を示すフローチャートである。図２のステップＳ１で、制御装置３６は、入浴者の異常を検出する機能を有効とすべきかどうかを判断する。入浴者の異常を検出する機能をユーザーが無効に設定している場合には、ステップＳ２以下の処理を実行する必要がないので、ステップＳ１の後、処理を終了する。また、電動排水栓５０が開いている場合には、ステップＳ２以下の処理を実行する必要がないので、ステップＳ１の後、処理を終了する。入浴者の異常を検出する機能をユーザーが無効に設定しておらず、かつ、電動排水栓５０が閉じている場合には、入浴者の異常を検出する機能を有効とすべきであるため、ステップＳ１からステップＳ２へ進む。
【００３１】
ステップＳ２で、制御装置３６の異常検出部３６１は、人検出センサ６３の信号に基づいて、浴槽３０内にいる入浴者の異常を検出する処理を実行する。なお、異常検出部３６１は、人検出センサ６３の信号が利用できない場合には、第二人検出センサ５１の信号に基づいて、入浴者の異常を検出する。入浴者の異常が検出された場合には、ステップＳ２からステップＳ３へ進む。
【００３２】
ステップＳ３で、制御装置３６は、浴室リモコン４９から警報音及び警報表示の少なくとも一方の警報を発するように浴室リモコン４９に対して指令する。浴室リモコン４９から警報音及び警報表示の少なくとも一方の警報を発することで、意識レベルの低下した入浴者を覚醒させる効果が期待できる。一般に、浴室リモコン４９は、スピーカの音量をユーザーが設定できるように構成されている。浴室リモコン４９から警報音を発する場合には、スピーカの音量設定にかかわらず、大音量で警報音を発生させるようにしてもよい。大音量で警報音を発生させることで、意識レベルの低下した入浴者を覚醒させる効果をさらに向上できる。
【００３３】
処理はステップＳ３からステップＳ４へ進む。浴室リモコン４９は、警報を解除するユーザー操作である警報解除操作を受け付ける手段を備える。例えば、浴室リモコン４９の所定のボタンが押下された場合に警報を解除してもよい。ステップＳ４では、警報解除操作が浴室リモコン４９に対して行われたかどうかを判断する。浴室リモコン４９に対して警報解除操作が行われた場合には、警報によって覚醒した入浴者が警報解除操作を行ったと考えられる。あるいは、浴室リモコン４９からの警報音に気付いた同居人が浴室に駆けつけて、入浴者を救出し、浴室リモコン４９に対して警報解除操作を行ったと考えられる。これらの場合には警報を継続する必要はない。よって、浴室リモコン４９に対して警報解除操作が行われた場合には、ステップＳ４からステップＳ５へ進み、浴室リモコン４９からの警報を解除し、本フローチャートの処理を終了する。
【００３４】
これに対し、浴室リモコン４９に対して警報解除操作が行われない場合には、入浴者の意識レベルが回復せず、同居人も気付いていないと考えられる。この場合には、処理はステップＳ４からステップＳ６へ進む。ステップＳ６で、制御装置３６は、電動排水栓５０を開き、浴槽３０内の浴水を排出することで、浴槽３０内の水位を低下させる。これにより、浴槽３０内の入浴者の口に水が入る可能性を低減できるので、浴槽３０内の入浴者が溺水状態になる可能性を低減できる。
【００３５】
処理はステップＳ６からステップＳ７へ進む。ステップＳ７で、制御装置３６は、台所リモコン４８から警報音及び警報表示の少なくとも一方の警報を発するように台所リモコン４８に対して指令する。台所リモコン４８から警報を発することで、入浴者の異常が検出されたことを同居人に知らせることができ、入浴者の救出に向かうように同居人を促すことができる。
【００３６】
処理はステップＳ７からステップＳ８へ進む。ステップＳ８で、制御装置３６は、外部通信端末７０に対して、入浴者の異常が検出された旨の警報を、通信装置４４により、外部通信回線を介して送信する。この外部通信端末７０は、例えば、入浴者の同居人、家族、知人などが携帯するスマートフォン、タブレット端末、携帯電話など、予め設定された外部通信端末７０である。外部通信端末７０に対して警報を送信することで、外出中の同居人、家族、知人などに、入浴者の異常が検出されたことを知らせることができる。このため、入浴者以外の人が宅内にいないときでも、外出中の同居人、家族、知人などが、入浴者の救出に駆けつけることが期待できる。
【００３７】
処理はステップＳ８からステップＳ９へ進む。ステップＳ９で、制御装置３６は、スマートフォン、タブレット端末、携帯電話などの、通話可能な外部通信端末７０と、浴室リモコン４９のマイク及びスピーカとの間で通話可能となるように制御する。すなわち、外部通信端末７０から外部通信回線及び通信装置４４を介して受信した音声信号（受話信号）を浴室リモコン４９のスピーカにより再生するとともに、浴室リモコン４９のマイクで集音した音声信号（送話信号）を、通信装置４４により、外部通信回線を介して外部通信端末７０へ送信する。これにより、以下の効果が得られる。外出中の同居人、家族、知人などが、宅外から、入浴者に対して呼びかけを行い、入浴者の意識レベルが低下しているのかどうかを確認できる。入浴者の意識レベルが低下していた場合には、その呼びかけによって、入浴者の意識レベルが回復する可能性が期待できる。入浴者が覚醒して返答した場合には、その声を宅外の同居人、家族、知人などが聞き取ることができ、入浴者が覚醒したことを確認できる。
【００３８】
なお、浴室リモコン４９は、浴槽３０内を撮影範囲に含むカメラを備えてもよい。この場合、上記ステップＳ８またはステップＳ９において、さらに以下のようにしてもよい。制御装置３６は、浴室リモコン４９のカメラにより撮影された画像のデータを、通信装置４４により、外部通信回線を介して外部通信端末７０へ送信する。これにより、外出中の同居人、家族、知人などが、宅外から、入浴者の様子を画像で確認できる。外部通信端末７０へ送信する画像のデータは、カメラから出力された画像よりも画質を低くしたものでもよい。外部通信端末７０へ送信する画像の画質をあえて低くすることで、入浴者のプライバシーを保護することができる。
【００３９】
処理はステップＳ９からステップＳ１０へ進む。ステップＳ１０で、制御装置３６は、警報解除操作が浴室リモコン４９に対して行われたかどうかを再び判断する。浴室リモコン４９に対して警報解除操作が行われた場合には、入浴者が覚醒して自分で警報解除操作を行ったか、同居人などが浴室に駆けつけて、入浴者を救出し、浴室リモコン４９に対して警報解除操作を行ったと考えられる。このため、すべての警報を解除し、浴槽３０から浴水の排出を停止しても問題ない。そこで、この場合には、ステップＳ１０からステップＳ１１へ進み、電動排水栓５０を閉じて、浴水の排出を停止する。さらに、ステップＳ１１からステップＳ１２へ進み、浴室リモコン４９、台所リモコン４８、外部通信端末７０の全機器の警報を停止した後、本フローチャートの処理を終了する。
【００４０】
これに対し、浴室リモコン４９に対して警報解除操作が行われていない場合には、処理はステップＳ１０からステップＳ１３へ進む。台所リモコン４８は、警報解除操作を受け付ける手段を備える。例えば、台所リモコン４８の所定のボタンが押下された場合に警報を解除してもよい。ステップＳ１３で、制御装置３６は、警報解除操作が台所リモコン４８に対して行われたかどうかを判断する。台所リモコン４８に対して警報解除操作が行われた場合には、ステップＳ１４へ進み、台所リモコン４８の警報を停止する。さらに、ステップＳ１４からステップＳ１５へ進み、外部通信端末７０の警報を停止する。警報解除操作が台所リモコン４８に対して行われた場合には、宅内にいる人が警報に気付いたと考えられるので、宅外の人が扱う外部通信端末７０の警報を停止しても問題はない。処理はステップＳ１５からステップＳ１０に戻る。
【００４１】
本実施の形態では、台所リモコン４８に対して警報解除操作が行われ、かつ浴室リモコン４９に対して警報解除操作が行われていない場合には、台所リモコン４８の警報は停止させるが、浴室リモコン４９の警報は継続させる。これにより、以下の効果が得られる。大人が台所リモコン４８からの警報に気付く前に、小さい子供などが台所リモコン４８に対して誤って警報解除操作を行ってしまう可能性がある。この場合に、浴室リモコン４９の警報を停止すると、大人が警報に気付かないままになり、入浴者が救出されない可能性がある。これに対し、浴室リモコン４９の警報を継続させることで、そのような事態が起こることをより確実に防止できる。
【００４２】
ステップＳ１３で台所リモコン４８に対して警報解除操作が行われていない場合には、処理はステップＳ１６に進む。外部通信端末７０に対して警報解除操作が行われると、通信装置４４は、外部通信回線を介して、警報解除の指令を受信する。ステップＳ１６で、制御装置３６は、外部通信端末７０から警報解除の指令を受信したかどうかを判断する。外部通信端末７０から警報解除の指令を受信していない場合には、処理はステップＳ１６からステップＳ１０に戻る。外部通信端末７０から警報解除の指令を受信した場合には、処理はステップＳ１７に進み、外部通信端末７０の警報を停止した後、ステップＳ１０に戻る。
【００４３】
本実施の形態では、外部通信端末７０のみに警報解除操作が行われた場合には、台所リモコン４８及び浴室リモコン４９の警報は解除することなく継続させる。宅外の人が扱う外部通信端末７０のみに警報解除操作が行われた場合には、入浴者が救出されたかどうかは確実でない。このため、台所リモコン４８及び浴室リモコン４９の警報を継続させることで、確実に入浴者が救出されるようにすることが可能となる。
【００４４】
前述したステップＳ１の、入浴者の異常を検出する機能を有効とすべきかどうかを判断する処理において、風呂自動運転が行われているかどうかの判断を追加してもよい。また、外部通信端末７０は、個人が携帯するスマートフォン、タブレット端末、パーソナルコンピュータ、携帯電話などに限らず、例えば、通信装置４４を介して通信可能な宅内の他の電気機器でもよいし、消防署、契約したセキュリティ会社などに設置された通信端末でもよい。
【００４５】
また、上述した実施の形態では、給湯システム３５の制御装置３６を介して浴室リモコン４９から警報を発する構成を例に説明したが、例えば、浴室の天井に設置された浴室機器の制御部が、給湯システム３５の制御装置３６を介さずに、浴室リモコン４９に対して直接指令を出すことで、浴室リモコン４９から警報を発するように構成してもよい。
【符号の説明】
【００４６】
１  圧縮機、  ３  水冷媒熱交換器、  ４  膨張弁、  ５  冷媒配管、  ６  空気熱交換器、  ７  ＨＰユニット、  ８  貯湯タンク、  １１  三方弁、  １２  循環ポンプ、  １３  送湯配管、  １８  四方弁、  ２０  風呂用熱交換器、  ２１  給湯配管、  ２２  給湯用混合弁、  ２３  風呂用混合弁、  ２４  第一給湯配管、  ２５  第二給湯配管、  ２６  風呂用電磁弁、  ２９  風呂循環ポンプ、  ３０  浴槽、  ３１  減圧弁、  ３３  タンクユニット、  ３４  給湯栓、  ３５  給湯システム、  ３６  制御装置、  ４２，４３  貯湯温度センサ、  ４４  通信装置、  ４５  風呂用流量センサ、  ４６  水流検知手段、  ４７  水位センサ、  ４８  台所リモコン、  ４９  浴室リモコン、  ５０  電動排水栓、  ５１  第二人検出センサ、  ６０  浴室乾燥機、  ６１  浴室乾燥機制御部、  ６２  通信装置、  ６３  人検出センサ、  ７０  外部通信端末、  ３６１  異常検出部
【図１】
2018159488.tif 000003
【図２】
2018159488.tif 000004